(57)【要約】  任意選択的にハンドルに取り外し可能に取り付け可能な掃除用品。この掃除用品は、層構成で共に接合されているトウ繊維層とシート材料層とを有する。シートは、トウ繊維が開口部を遮ることができるように貫通する開口部を有する。開口部を遮ることによって、トウ繊維を絡ませて、トウ繊維の毛羽立ちを促進することができる。
2015512693.tif 000002
【特許請求の範囲】
【請求項１】
ハンドル（３５）に任意選択的に取り外し可能に取り付けるための、長手方向の長さを画定する長手方向軸（Ｌ）を有する掃除用品（１０）であって、
少なくとも１つのトウ繊維層であって、前記トウ繊維が、前記長手方向軸（Ｌ）と並置された近位端から、そこから横方向に遠隔の遠位端まで、横方向に外向きに延在し、
前記層は、第１及び第２の対向面を更に有する、トウ繊維層と、
前記少なくとも１つのトウ繊維層の前記第１面上に配置された概ね平面のシート（１２）であって、前記シート（１２）がそれを貫通する複数の別個の開口部（２０）を有することを特徴とする、シート（１２）と、を備える、掃除用品（１０）。
【請求項２】
前記シート（１２）が、それを貫通する複数の別個の開口部を有し、前記複数の前記開口部（２０）の少なくともいくつかは互いに異なる外形であることを特徴とする、請求項１に記載の掃除用品（１０）。
【請求項３】
前記シート（１２）、がそれを貫通する複数の別個の開口部（２０）を有し、複数のスポット結合（３８）によって前記少なくとも１つのトウ繊維層に接合され、前記スポット結合（３８）の少なくともいくつかは、前記長手方向軸（Ｌ）からオフセットされ、前記開口部（２０）及び前記スポット結合（３８）の少なくともいくつかは、前記長手方向軸（Ｌ）から異なる横方向の距離に散在していることを特徴とする、請求項１に記載の掃除用品（１０）。
【請求項４】
異なる開口部（２０）が、前記長手方向軸（Ｌ）から異なる横方向の距離に配置されることを特徴とする、請求項１〜３のいずれか一項に記載の掃除用品（１０）。
【請求項５】
前記トウ繊維層の共通面上で共に接合され、中にフォーク歯（３６）を受容するように少なくとも１つのフォークスリーブ（３０）を形成するように共に接合される、２枚のシート（１２）を備え、前記シート（１２）の両方が、それを貫通する開口部（２０）を有することを特徴とする、請求項１〜４のいずれか一項に記載の掃除用品（１０）。
【請求項６】
複数の前記開口部（２０）がスリットを含むことを特徴とする、請求項１〜５のいずれか一項に記載の掃除用品（１０）。
【請求項７】
横方向に延在する複数の集塵ストリップを備え、前記集塵ストリップの少なくとも１つがそれを貫通する開口部（２０）を有することを特徴とする、請求項１〜６のいずれか一項に記載の掃除用品（１０）。
【請求項８】
概ね丸い開口部（２０）を備え、任意選択的に、少なくとも２つの異なる直径の開口部（２０）を備える、請求項１、２、３、４及び５のいずれか１項に記載の掃除用品（１０）。
【請求項９】
前記複数の前記開口部（２０）の少なくともいくつかが、長軸及びそれに直交する短軸を有する概ね細長い形であり、任意選択的に、前記開口部（２０）の少なくともいくつかの前記長軸が、前記シート（１２）の平面内で互いに異なる方向に配向されていることを特徴とする、請求項１、２、３、４、５、６及び７のいずれか１項に記載の掃除用品（１０）。
【請求項１０】
複数の前記開口部（２０）が、長軸が前記長手方向軸（１０）に概ね垂直に配置された状態で配向され、複数の前記開口部（２０）が、長軸が前記長手方向軸（１０）に概ね平行に配置された状態で配向されていることを特徴とする、請求項９に記載の掃除用品（１０）。
【請求項１１】
前記シート（１２）及び前記トウ繊維層が、複数のスポット結合（３８）によって共に接合され、前記スポット結合（３８）は前記長手方向軸（Ｌ）からのスポット結合距離を有し、前記開口部（２０）の少なくともいくつかは、前記長手方向軸（Ｌ）からの開口部（２０）距離を有し、前記長手方向軸（Ｌ）からの前記開口部（２０）距離のいくつかは、前記スポット距離のいくつかよりも大きく、前記長手方向軸（Ｌ）からの前記開口部（２０）距離のいくつかは、前記スポット距離よりも小さいことを特徴とする、請求項３に記載の掃除用品（１０）。
【請求項１２】
前記複数の開口部（２０）が、少なくとも２つの異なる寸法の開口部（２０）を備え、前記長手方向軸（Ｌ）により近く配置された少なくともいくつかの開口部（２０）が、前記長手方向軸（Ｌ）からより遠くに配置された開口部（２０）よりも大きい寸法であることを特徴とする、請求項１〜１１のいずれか一項に記載の掃除用品（１０）。
【請求項１３】
複数の前記スポット結合（３８）が一列に配列され、前記列が、前記長手方向軸（Ｌ）に概ね平行であり、前記開口部（２０）の少なくともいくつかが、前記スポット結合（３８）の列よりも前記長手方向軸（Ｌ）から遠くに配置されることを特徴とする、請求項１１に記載の掃除用品（１０）。
【請求項１４】
第２の列のスポット結合（３８）を更に備え、前記第２の列は前記長手方向軸（Ｌ）に平行であり、前記列の両方が、前記長手方向軸（Ｌ）の同じ側にあり、前記開口部（２０）の少なくともいくつかは、前記スポット結合（３８）の両方の列よりも前記長手方向軸（Ｌ）から遠くに配置されている、請求項１３に記載の掃除用品（１０）。
【請求項１５】
２つの異なる形を有する開口部（２０）を備える、請求項１〜１４のいずれか一項に記載の掃除用品（１０）。
【発明の詳細な説明】
【技術分野】
【０００１】
本発明は、掃除用品、より具体的には、トウ繊維などを含む掃除用品に関する。
【背景技術】
【０００２】
様々な掃除用品が、ダスティング及び軽い洗浄のために作り出されてきた。例えば、乾燥した状態で、又は研磨及び洗浄組成物によって濡れた状態で使用される、布及びペーパータオルが、比較的平らな表面で使用されてきた。しかしながら、布及びペーパータオルは、衛生状態（洗浄中に、ユーザーの手が、化学薬品、汚れ又は表面に触れることがある）、届く範囲（ユーザーの手を布又はペーパータオルと共に、届き難い場所に入れることが困難である場合がある）及び不便さ（間隔の狭い物品の間を洗浄することは、通常、物品の移動を必要とする）などの理由のために、問題がある。
【０００３】
布及びペーパータオルの使用に伴うこれらの問題を克服するために、１９０６年にＨａｙｄｅｎに発行された米国特許第８２３，７２５号によって例示されるように、羽毛、羊毛、及び合成繊維のブラシを有する様々な集塵デバイスが、１世紀を超える期間にわたって利用されてきた。そのような集塵デバイスは、製造に費用がかかる可能性があり、そのため、洗浄及び再利用されるように設計される。再利用可能な集塵デバイスに伴う１つの問題は、そのような集塵デバイスが、ほこりを良好に把持、又は捕捉しない場合があることである。汚れた再利用可能なデバイスは、典型的に、振盪によって、又は他の機械的攪拌によって、洗浄される。このプロセスは、洗浄プロセス中、そのプロセスを中断して、及び／又はその後に追加の工程を必要とするために、完全に満足できるものではない。更に、デバイスの復元の試みは成功するとは限らず、先に収集した塵を再び付着させることになる場合がある。
【０００４】
再利用可能な集塵デバイスによって経験する問題に対処するため、限定的な再利用性を有する使い捨て集塵デバイスが開発されてきた。これらの使い捨て集塵デバイスは、第２０１０／０３１９１５２号に記載されているように、シートに取り付けられたトウ繊維と呼ばれる合成繊維束で作製されたブラシ部分を含み得る。あるいは、トウ繊維は、第４，１４５，７８７号に記載されているように、プレートに取り付けられてもよい。使い捨て掃除用品は、１回の仕事（数平方メートルの表面）に使用してから捨てるか、又は復元させて、より多くの仕事に再利用してから捨ててもよい。羽毛ダスター、布、ストリングモップ、ストリップモップなどの従来的な掃除用品は、本発明の目的では使い捨てではない。
【０００５】
そのような装置は、例えば、米国特許第６，８１３，８０１号、同第６，９６８，５９１号、同第６，９８４，６１５号、同第７，２２８，５８７号、同第７，２３１，６８５号、同第７，２３４，１９３号、同第７，２３４，９１４号、同第７，２３７，２９６号、同第７，２３７，２９７号、同第７，２４３，３９１号、同第７，３０２，７２９号、同第７，３０２，７３０号、及び／又は同第７，３３４，２８７号（共通の関連特許出願を有する）にしたがって作製することができる。この系列の特許は、共通の特徴−概ね平面の物品の両側からストリップが横方向に延在している−を有する。これらのストリップは、物品の平面から出るようにトウ繊維の変形を促進することによって、中間のトウ繊維の表面積を増大させる目的を果たす。このアプローチは、ストリップのために過度の材料が使用されるという付随的問題を有する。長手方向軸から測定されたそれらのストリップの長さがトウ繊維と同じ長さを有する場合、トウ繊維が標的表面と完全に接触することをストリップが妨害することが可能である。
【０００６】
ストリップを備えた掃除用品に伴う別の問題は、そのような掃除用品が、典型的には、平らな状態で梱包されていることである。最適な性能を得るには、使用者は使用の前に掃除用品を予め毛羽立てる必要がある。使用説明書があっても、多くの使用者はこの工程を正しく行う方法を全く理解していない。一部の使用者は、使用説明書を読まずに、この工程を完全に省略する。更には、製造中の不適切な切断のためにストリップが部分的に接合されており、毛羽立てる工程を不十分にする又はより困難にする場合がある。そのような掃除用品１０におけるストリップの問題は、布の両側からだけでなく前からも延在しているストリップを教示する第５，９５３，７８４号では、更に悪化している。
【０００７】
この問題を克服するための１つの試みが、横方向に延在するストリップを使用しない第７，５６６，６７１号に見出される。しかしながら、この試みは、その掃除用具が、第６，８１３，８０１号の系列が教示するように掃除用具の両面でなく、片面でのみ掃除するという欠点を有する。
【０００８】
前述の第７，５６６，６７１号の片面洗浄の短所を克服する試みは、らせんダスターを教示する第７，２５１，８５１号に見出される。しかしながら、このアプローチは、前述の第６，８１３，８０１号の系列及び第８２３，７２５号と同様の構成から始まるので、意図された解決策を１００年前にこの問題の発端となった同じアプローチに戻すことになる。
【先行技術文献】
【特許文献】
【０００９】
【特許文献１】米国特許第８２３，７２５号
【特許文献２】米国特許第２０１０／０３１９１５２号
【特許文献３】米国特許第４，１４５，７８７号
【特許文献４】米国特許第６，８１３，８０１号
【特許文献５】米国特許第６，９６８，５９１号
【特許文献６】米国特許第６，９８４，６１５号
【特許文献７】米国特許第７，２２８，５８７号
【特許文献８】米国特許第７，２３１，６８５号
【特許文献９】米国特許第７，２３４，１９３号
【特許文献１０】米国特許第７，２３４，９１４号
【特許文献１１】米国特許第７，２３７，２９６号
【特許文献１２】米国特許第７，２３７，２９７号
【特許文献１３】米国特許第７，２４３，３９１号
【特許文献１４】米国特許第７，３０２，７２９号
【特許文献１５】米国特許第７，３０２，７３０号
【特許文献１６】米国特許第７，３３４，２８７号
【特許文献１７】米国特許第５，９５３，７８４号
【特許文献１８】米国特許第７，５６６，６７１号
【特許文献１９】米国特許第７，２５１，８５１号
【発明の概要】
【発明が解決しようとする課題】
【００１０】
したがって、集塵ストリップを必要としない掃除用品の必要性が存在する。そのような掃除用品は、塵を集め保持するためのトウ繊維の有利な使用を更にもたらすことができ、しばしば無視される又は不適切に行われる毛羽立て工程を使用者ができるだけしなくてよいようにすること又は削除することもまた可能にし得る。
【課題を解決するための手段】
【００１１】
本発明は掃除用品を含む。この掃除用品は、任意選択的にハンドルに取り外し可能に取り付け可能である。この掃除用品は、互いに面する関係で共に接合されている少なくとも１層のトウ繊維と少なくとも１枚のシートとを備えている。シートは、トウ繊維との絡まりのために、それを貫通する少なくとも１つの開口部を有する。
【図面の簡単な説明】
【００１２】
【図１】先行技術による、２枚の薄層上にストリップを有する掃除用品の概略分解斜視図である。
【図２】一部が切り取られた図に部分的に示されている本発明による掃除用品の分割平面図であり、長手方向軸の片側に同一の別個の開口部を有し、長手方向軸のもう一方の側に異なる外形及び密度の別個の開口部を有する。
【図３】一部が切り取られた図に部分的に示されている本発明による掃除用品の分割平面図であり、凹状の長手方向縁を有するシートと共に、長手方向軸の片側に可変の形の開口部を有し、長手方向軸Ｌのもう一方の側に異なるスリット開口部を有する。
【発明を実施するための形態】
【００１３】
図１を参照すると、掃除用品１０は長手方向軸Ｌを有して概して細長いが、他の形も企図され実行可能である。掃除用品１０は、ハンドル３５に取り外し可能に取り付け可能である、及び／又はハンドルなしに使用され得る。好適なハンドル３５は、同一出願人による米国特許公開第２０１１／０００９９７６４号に開示されている。
【００１４】
掃除用品１０のｚ方向は、掃除用品１０のハンドル３５（存在する場合）に通常は最も近いシート１２に垂直の方向であり、ＸＹ平面は、シート１２によって画定される平面として定義され、通常はｚ方向に垂直である。掃除用品１０は、長手方向軸Ｌ、及びそれに直交する横軸Ｔを有し得る。掃除用品１０、及びそのそれぞれの構成要素は、長手方向軸Ｌに平行な２つの長手方向縁、及び横軸Ｔに平行な２つの横方向縁を有し得る。
【００１５】
掃除用品１０などの長さは、長手方向で測定される。掃除用品１０の幅は、長さ方向に垂直の横方向と一致し、シート１２の面内に配置される。厚さは、ｚ方向の寸法として定義される。図に示されるストリップの長さ及び幅は、それぞれ、横方向及び長手方向にとられる。
【００１６】
本発明の掃除用品１０は、向かい合わせの関係で接合されている２つ又は３つ以上の薄層を有するものと考えることができる。薄層は、トウ繊維薄層１４、概ね平面のシート１２である中間の２つの薄層を含み得る。あるいは、単一のトウ繊維層１４が、単一の概ね平面のシート１２に接合されてもよい。４層を含むトウ繊維層１４が示されているが、当業者は、本発明での使用には、１枚〜数枚の層が実行可能であり企図されることを理解するであろう。同様に、本発明での使用には、１枚、２枚又は３枚以上のシート１２が実行可能であり、企図される。
【００１７】
取り付けシステムは、好適で任意選択的なハンドル３５への掃除用品１０の取り外し可能な取り付けをもたらすことができる。掃除用品１０の取り付けシステム及び任意選択の相補的ハンドル３５の取り付けは、接着剤接合、粘着性接合、機械的係合などを含むことができる。１つの一般的な取り付けシステムは、ハンドル３５の歯３６が挿入され得るスリーブ３０を含む。スリーブ３０は外側薄層上に配置することができる。
【００１８】
シート１２は、外側に面する選択的な洗浄面、及びこれと反対側の、第２の内側に面する取り付け面を有することができる。シート１２は、不織布シート１２を含むことができる。好適な不織布は、同一出願人による米国特許第６，７９７，３５７号、同第６，９３６，３３０号、同第Ｄ４８９，５３７号及び／又は同第Ｄ４９９，８８７号によって作製され得る。
【００１９】
圧縮可能及び／又は変形可能な第２の繊維薄層１４が、シート１２に隣接し得る。第２の薄層は、トウ繊維１４を含むことができる。トウ繊維薄層１４は、向かい合わせの関係でシート１２に接合させることができる。トウ繊維薄層１４は、洗浄中に標的表面と直接接触させるのに好適であり得る。
【００２０】
トウ繊維１４は、合成であってよい。本明細書で使用するとき、「束繊維」及び／又は「トウ」は、ポリエステル、ポリプロピレン、ポリエチレン、及びセルロースアセテートを含むセルロース材料、並びにこれらの混合物などの合成ポリマーを含む繊維を指し、個々の繊維は、束で製造された比較的長いストランドである。束繊維は、区別可能な端部を有し、かつ少なくとも約１ｃｍの長さである、任意の繊維として定義され得る。本発明の掃除用品１０は、任意選択の吸収性コア（図示せず）を更に含むことができる。
【００２１】
シート１２、繊維層１４及び非平面構造体を、熱結合、自溶結合、超音波結合、ヒートシーリング、接着剤及び／又は当該技術分野で既知のその他の手段によって、共に接合させることができる。シート１２は、向かい合わせの関係で共に接合された２つの層を含むことができる。シート１２、繊維層１４及び非平面構造体１６は、長手方向軸Ｌに平行な中央軸部４２をもたらすパターンで結合させることができる。
【００２２】
トウ繊維層１４と概ね平面のシート１２との接合は、当該技術分野で公知の連続結合３８及び／又はスポット結合３８の任意の組み合わせを用いて行うことができる。結合３８は、当該技術分野で公知であり本明細書において説明される取り付けシステムのためのスリーブ３０を作り出すために使用することができる。
【００２３】
２つの層を接合する結合パターンは、本発明の掃除用品１０で使用される場合、ハンドル３５の歯３６と相補的でありかつそれらを受容することのできるスリープ３０を提供するパターンで提供することができる。具体的には、結合は、歯３６が、隣接する結合部３８の間に作られるスリーブ３０の中に挿入され得るように、ほぼ長手方向に向いたパターンで提供され得る。
【００２４】
結合パターンは、連続的に結合された又は離散的に結合された中央軸部４２を提供し得る。中央軸部４２の外側寄りで、結合パターンは、１つ以上の連続又は非連続の結合部位を含むことができる。中央軸部４２の結合と外側寄りの結合３８との間の空間は、任意選択的なハンドル３５の歯３６を受容するためのスリーブ３０を作り出すことができる。所望により、シート１２を横断方向に収縮すること／ひずませることができる。このプロセスは、シート１２にしわ、すなわちひだをもたらすことができる。このしわ／ひだは、シート１２の層と層との間を引き離して、所望によりスリープ３０に歯３６を挿入することをより容易にすることができる。
【００２５】
図２を参照すると、掃除用品１０は、トウ繊維１４の少なくとも１層の第１面上に配置された概ね平らなシート１２を備える。シート１２は、少なくとも１つの別個の開口部２０を備え得る。別個の開口部２０とは、シート１２を構成する材料を通って孔が存在することを意味する。したがって、別個の開口部２０は、シート１２を形成する不織布材料の繊維間に自然に生じる間質を含まない。
【００２６】
開口部２０は、開口部２０の外形を画定する周辺を有する。外形は、開口部２０の寸法及び形の両方を含む。例えば、開口部２０は、シート１２材を貫通する丸い穴、スリット、及び／又は穿孔のような孔を含み得る。
【００２７】
開口部２０は、同じ形であってよく、同様の寸法であっても異なる寸法であってもよい。例えば、開口部２０は、３〜３０ｍｍの範囲の（１つ又は複数の）直径を有する概ね円形であり得る。あるいは、開口部２０は、同様の又は異なるアスペクト比及び同様の又は異なる寸法を有する概ね楕円形であってもよい。
【００２８】
図３を参照すると、更に、又は代わりに、開口部２０は同様の形であっても異なる形であってもよい。例えば、１つ以上の開口部２０は円形であってもよく、１つ以上の開口部２０は楕円形であってもよく、１つ以上の開口部２０はスロット形であってもよく、１つ以上の開口部２０は同じ又は異なる方向に配向されたスリットを含んでもよく、１つ以上の開口部２０は正方形でもよく、及び／又は１つ以上の開口部２０は不規則な形などであってもよい。シート１２上の開口部２０の異なる配置及び／又は開口部２０の異なる外形は、トウ繊維１４の層において繊維の差異的な絡まりを引き起こし得ると考えられる。
【００２９】
より具体的には、開口部２０の周辺は、１つ以上のトウ繊維を遮って、そのようなトウ繊維を開口部２０と絡ませるようにすることができる。トウ繊維は、１つ以上の開口部２０を通って部分的に配置され得る。トウ繊維層１４へのそのような絡まり、配置、又はその他の妨害は全て、トウ繊維を毛羽立てることを促進すると予測される。トウ繊維層１４の毛羽立ては、掃除用品１０の掃除能力及び集塵能力を改善すると考えられる。
【００３０】
所望により、縮退の場合、掃除用品１０、そのシート１２は、長手方向軸Ｌの周囲で対称であり得る。すなわち、同じ外形の開口部２０を長手方向軸Ｌのそれぞれの側で同じ位置に配置することができるが、そのような外形は要件ではない。
【００３１】
長手方向軸Ｌからの距離、又は出発点から開口部２０若しくはスポット結合３８までのその他の距離は、以下のように測定される。横方向の距離は、長手方向軸Ｌから、それに対して垂直にとられる。この距離は、開口部２０の重心まで測定される。例えば、開口部２０が円形の場合、その円の中心までの距離が測定される。開口部２０がスリットの場合、スリットの中間点までの距離が測定される。開口部２０が不規則形の場合、そのような形の重心までの距離が測定される。
【００３２】
引き続き図３を参照すると、１つ以上の開口部２０は、長軸及びそれに直交する短軸を有する概ね細長い形であり得る。そのような開口部２０の長軸は、長手方向に平行、横方向に平行、斜めの配向、及び／又はそれらの任意の組み合わせに配向されうる。そのような異なる配向は、トウ繊維の差異的な毛羽立ちを有利にかつ予想外にも作り出すであろうと考えられる。
【００３３】
同様に、１つ以上の開口部２０は、スリットを含んで概ね細長くてもよい。スリットは細長く、開口部２０内に識別可能な面積を有さない場合がある。対照的に、円の場合のような、シート１２を通って識別可能な面積を有する開口部２０を選択してもよい。
【００３４】
開口部２０の長軸は、長手方向に平行、横方向に平行、斜めの配向、及び／又はそれらの任意の組み合わせに配向され得る。そのような異なる配向は、トウ繊維の差異的な毛羽立ちを有利にも作り出すことができると考えられる。
【００３５】
所望により、より大きい開口部２０及び／又はより大きい周長を有する開口部２０を、より小さい開口部２０及び／又はより小さい周長を有する開口部２０よりも長手方向軸Ｌに横方向に近くに配置してもよい。長手方向軸Ｌにより近くに、より大きい開口部２０／より大きい周長を有することによって、より大きい絡まりが、トウ繊維の近位端のより近くで生じるであろうと予測される。この配列は、より差異的な絡まりを有利にも提供して、毛羽立ちを増加させることができる。
【００３６】
所望により、開口部２０は、シート１２とトウ繊維層１４とを接合するために使用されるスポット結合３８の間に散在させることができる。散在させるとは、いくつかのスポット結合３８が、開口部２０のいくつかよりも長手方向軸Ｌから遠くに配置されてよく、いくつかのスポット結合３８が、開口部２０よりも長手方向軸Ｌに近く配置されてよく、その結果、いくつかのスポット結合３８がいくつかの開口部２０の周囲で分散されることを意味する。逆に、散在させるとは、いくつかの開口部２０が、スポット結合３８のいくつかよりも長手方向軸Ｌから遠くに配置されてもよく、いくつかの開口部２０が、いくつかのスポット結合３８よりも長手方向軸Ｌに近く配置されてもよく、その結果、いくつかのスポット結合３８がいくつかの開口部２０の周囲に分散されることを意味する。
【００３７】
所望により、スポット結合３８は、１つ以上の列に配列されてもよい。スポット結合３８の列は、長手方向軸Ｌに対して概ね平行であり得る。所望により、スポット結合３８の２つ以上の列が、長手方向軸Ｌの同じ側に配置されてもよい。開口部２０は、両方の列の内側に、すなわち、列の間で長手方向軸Ｌに横方向により近くに、及び／又は両方の列の外側に、すなわち、スポット結合３８より長手方向軸Ｌからより遠くに、及びそれらの任意の組み合わせで配置され得る。
【００３８】
トウ繊維を絡ませる開口部２０とトウ繊維とを固着させるスポット結合３８を散在させると、より大きい差異的絡まりをもたらすであろうと予測される。それによって、より大きい差異的絡まりは、トウ繊維のより大きい毛羽立ちをもたらすことができる。
【００３９】
所望により、２枚のシート１２を向かい合わせの関係で配置し得る。その場合、シート１２を共に接合させて、使用者による操作のために、フォークの歯３６を受容する１つ以上のスリーブ３０を形成してもよい。そのようなシート１２は、類似した又は異なる開口部２０の構成を有し得る。例えば、トウ繊維１４と接触する関係で配置されたシート１２は、トウ繊維から離れて配置されたシート１２よりも大きい開口部２０を有し得る。
【００４０】
所望により、本明細書に記載した様々な掃除用品１０をパッケージ化し、キットとして販売してもよい。掃除用品１０のいくつかは、開口部２０の特定の配列を有するシート１２を有することができ、一方、その他のシート１２は、異なる配列の開口部２０を有することができる。この構成は、異なる仕事に対して異なる掃除用品１０の選択肢を使用者が有するという利益を提供する。
【００４１】
当業者は、上述の実施形態のハイブリッド及び組み合わせが企図され実行可能であることを認識するであろう。例えば、本明細書に記載する任意のシート１２は、本明細書に記載するトウ繊維層１４のいずれかと共に使用することができる。単一の掃除用品１０は、同様の若しくは異なる外形を有する複数のシート１２、及び／又は同様の若しくは異なる外形を有する複数のトウ繊維層１４を備え得る。そのようなシート１２及びトウ繊維層１４を互いに隣り合わせに、散在させて、又は任意の所望の層の構成で配置することができる。
【００４２】
更に、本明細書に記載の任意の実施形態は、任意選択的に、異なる張り出しＤＯを有するシート１２及び／又はトウ繊維層１４、開口を有するシート１２、弾力的に収縮されたシート１２、並びに／あるいはは弾力的に収縮された直立パネルを有する掃除用品１０（それぞれ、同一出願人のＰ＆Ｇ事例１２３８２号、１２３８３号、１２３８４号、及び１２３８５号に示されている）の任意の１つ、任意の組み合わせ、又は全てを含むことができる。そのような変化を伴った実施形態の全ては、全てが２０１２年３月９日に出願された、これらの４つの前述の同一出願人による特許出願に記載されている。
【００４３】
シート１２及び／又はトウ繊維の層１４のいずれかを、接着剤、ろう、ニュートン流体オイル若しくは非ニュートン流体オイル、又はそれらの組み合わせで、完全に又は部分的にコーティングして、洗浄を改善すること、及び吸収された塵の保持を増大することができる。所望により、掃除用品１０を、任意選択的に洗浄溶液又は例えば外観又は殺菌などのための表面処理など、他の目的のために使用可能なその他の溶液と共に使用してもよい。洗浄溶液を掃除用品１０に予め適用して、予め湿らせた掃除用品１０を作り出してもよく、あるいは、別個の容器内に入れて、掃除用品１０及び／又は標的表面上に投与してもよい。洗浄溶液は、大半の水、及び少なくとも約０．５、２、５若しくは１０％の固体、又は少なくとも約３０％若しくは５０％の水性溶媒、非水性溶液若しくはその混合物を含み得る（全て重量による）。
【００４４】
任意選択的に、掃除用品１０は、２００９年１２月４日に出願された同一出願人による米国特許公開第２０１１／０１３１７４６号（Ａ１）に開示されているように、非平面構造体を更に含んでもよい。非平面構造体は、ＸＹ平面からｚ方向に延在し得る。
【００４５】
図１を再び参照すると、掃除用品１０は、任意選択的に、先行技術で既知の集塵ストリップ１７を更に備えてもよい。本明細書で使用するとき、集塵ストリップ１７は、物品１０の長手方向中心線から横方向に外向きに延在し、かつ（横方向に測定された）長さが（長手方向に測定された）対応する幅よりも大きい、カンチレバー要素を指す。製造によって意図されるように、集塵ストリップ１７はＸＹ面内にあるが、使用前の毛羽立て、及び／又は標的表面に対する動きによって使用中に生じる変形によってＸＹ面外に変形することができる。集塵ストリップ１７は、上述のシート１２の１つに組み込まれてもよく、又は別個のシート１２に備えられてもよい。所望により、１つ以上の開口部２０を集塵ストリップ上に配置し得る。
【００４６】
本明細書に開示した寸法及び値は、記載された正確な数値に厳密に限定されるものと理解されるべきではない。むしろ、特に断らないかぎり、そのような各寸法は、記載された値及びその値の周辺の機能的に同等の範囲の両方を意味するものとする。例えば、「４０ミリメートル」として開示される寸法は、「約４０ミリメートル」を意味するものである。
【００４７】
任意の相互参照又は関連特許若しくは関連出願を包含する本明細書に引用される全ての文献は、明確に除外ないしは別の方法で限定されない限り、その全体を本明細書中に参照により組み込まれる。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを教示、示唆又は開示していることを容認するものでもない。更に、本文書において、用語の任意の意味又は定義の範囲が、参照により組み込まれた文書中の同様の用語の任意の意味又は定義と矛盾する場合には、本文書中で用語に割り当てられる意味又は定義に準拠するものとする。
【００４８】
本発明の特定の実施形態が例示され説明されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図１】
2015512693.tif 000003
【図２】
2015512693.tif 000004
【図３】
2015512693.tif 000005
【国際調査報告】
2015512693.tif 000006
2015512693.tif 000007
2015512693.tif 000008